(57)【要約】【課題】大理石等の従来の汚垂れ石が有する美観を損なうことなく、小便器手前に水たまりが発生することを防止でき、総合的に優れた汚垂れ石ユニットを提供する。【解決手段】汚垂れ石ユニット１は、男性用小便器の手前側の床面として同一平面上に配された基準面Ｓと、基準面Ｓを上面として有して男性用小便器の少なくとも手前側の床を形成する汚垂れ石本体３と、汚垂れ石本体３の上面側から切欠かれて形成されている切欠き部５と、切欠き部５に収容されて基準面Ｓを上面として有する多孔質物質からなる多孔質体４と、多孔質体４の下面と切欠き部５との間に形成されている空間としての空隙部６とを備えている。【選択図】        図２
2018175045.tif 000002
【特許請求の範囲】
【請求項１】
男性用小便器の手前側の床面として同一平面上に配された基準面と、
該基準面を上面として有して前記男性用小便器の少なくとも手前側の床を形成する汚垂れ石本体と、
該汚垂れ石本体の上面側から切欠かれて形成されている切欠き部と、
該切欠き部に収容されて前記基準面を上面として有する多孔質物質からなる多孔質体と、
該多孔質体の下面と前記切欠き部との間に形成されている空間としての空隙部とを備えたことを特徴とする汚垂れ石ユニット。
【請求項２】
前記空隙部は、前記多孔質体の下側に配されたスペーサに形成されている貫通孔にて形成されていることを特徴とする請求項１に記載の汚垂れ石ユニット。
【請求項３】
前記空隙部は、前記切欠き部から突出して前記多孔質体の一部と接している突出部の周りに形成されていることを特徴とする請求項１に記載の汚垂れ石ユニット。
【請求項４】
前記切欠き部と前記多孔質体との間に介装されているフレーム容器とをさらに備え、
該フレーム容器は前記多孔質体の側面を覆う側板及び下面を覆う底板を有し、
前記側板の上面は前記基準面と同一平面に形成されていて、
前記空隙部は前記底板を貫通する貫通孔にて形成されていることを特徴とする請求項１に記載の汚垂れ石ユニット。
【請求項５】
前記側板はその上部が折り曲げられて外方に広がっている鍔部を有し、
該鍔部の上面は前記基準面と同一平面上に形成されていて、
前記切欠き部の周囲には前記鍔部を収容するために前記汚垂れ石本体を切欠いて形成された段差部が形成されていることを特徴とする請求項４に記載の汚垂れ石ユニット。
【請求項６】
前記空隙部は前記貫通孔部分にて前記底板が下面方向に折り曲げられて形成されていることを特徴とする請求項４又は５に記載の汚垂れ石ユニット。
【発明の詳細な説明】
【技術分野】
【０００１】
本発明は、男性用小便器の手前側に敷設される汚垂れ石ユニットに関するものである。
【背景技術】
【０００２】
男性用小便器の手前側の床面には大理石からなる汚垂れ石が配されていて、この汚垂れ石上には尿や洗浄水が飛散して水たまりができる傾向がある。この尿などからなる水たまりは見栄えもよくなく、衛生的にも問題がある。またこのような水たまりは小便器利用者が踏むことで滑ってしまうことの誘発にもなっている。このため、種々の方法で水たまり発生防止が試みられている（例えば特許文献１参照）。
【０００３】
しかしながら、特許文献１のように汚垂れ石を全て吸水作用のあるもので形成することは、従来の大理石が有する清潔感及び高級感等の美観を損なうことになる。そのために、必要最小限の範囲で水たまりの発生を防止し、トイレとしての清潔感や高級感は維持したいという要望がある。また、汚垂れ石の一部にのみ吸水材や吸水マットを敷く方法も考えられているが、吸水量が飽和量に達することも多々あり、吸水後は廃棄して処分される傾向にある。このように汚垂れ石の一部に吸水体を配するにしても、美観を損なうことなく、利用者の滑りも防止でき、吸水体の再利用も考慮し、吸水量が飽和量を超えた場合のフォローがあり、このうような総合的な観点から開発された汚垂れ石が待ち望まれている。
【先行技術文献】
【特許文献】
【０００４】
【特許文献１】特開２００２−３６４０５８号公報
【発明の概要】
【発明が解決しようとする課題】
【０００５】
本発明は、上記従来技術を考慮したものであり、大理石等の従来の汚垂れ石が有する美観を損なうことなく、小便器手前に水たまりが発生することを防止でき、総合的に優れた汚垂れ石ユニットを提供することを目的とする。
【課題を解決するための手段】
【０００６】
前記目的を達成するため、本発明では、男性用小便器の手前側の床面として同一平面上に配された基準面と、該基準面を上面として有して前記男性用小便器の少なくとも手前側の床を形成する汚垂れ石本体と、該汚垂れ石本体の上面側から切欠かれて形成されている切欠き部と、該切欠き部に収容されて前記基準面を上面として有する多孔質物質からなる多孔質体と、該多孔質体の下面と前記切欠き部との間に形成されている空間としての空隙部とを備えたことを特徴とする汚垂れ石ユニットを提供する。
【０００７】
好ましくは、前記空隙部は、前記多孔質体の下側に配されたスペーサに形成されている貫通孔にて形成されている。
【０００８】
好ましくは、前記空隙部は、前記切欠き部から突出して前記多孔質体の一部と接している突出部の周りに形成されている。
【０００９】
好ましくは、前記切欠き部と前記多孔質体との間に介装されているフレーム容器とをさらに備え、該フレーム容器は前記多孔質体の側面を覆う側板及び下面を覆う底板を有し、前記側板の上面は前記基準面と同一平面に形成されていて、前記空隙部は前記底板を貫通する貫通孔にて形成されている。
【００１０】
好ましくは、前記側板はその上部が折り曲げられて外方に広がっている鍔部を有し、該鍔部の上面は前記基準面と同一平面上に形成されていて、前記切欠き部の周囲には前記鍔部を収容するために前記汚垂れ石本体を切欠いて形成された段差部が形成されている。
【００１１】
好ましくは、前記空隙部は前記貫通孔部分にて前記底板が下面方向に折り曲げられて形成されている。
【発明の効果】
【００１２】
本発明によれば、汚垂れ石本体に吸水体を配するので、尿や洗浄水を吸水でき、小便器手前に水たまりが発生することを防止できる。また、汚垂れ石本体及び多孔質体の上面が基準面と同一であるので、小便器利用者が立つ床面に段差が形成されることはない。したがって利用者がつまずくことを防止できる。また、尿や洗浄水等を吸水するための多孔質体と汚垂れ石本体とを明確に分けて形成しているため、汚垂れ石本体を大理石等で形成できる。このため、汚垂れ石本体を清潔感や高級感等の美観を有する材質にて形成することができる。また、多孔質体の下側に空隙部が形成されているため、多孔質体の吸水量が飽和量を超えた場合でもこの空隙部に一時的に水分を溜めておくことができる。また、多孔質体は汚垂れ石本体を切欠いた切欠き部に収容されているので、外観として多孔質体と汚垂れ石本体とは一体性が高まる。
【００１３】
また、空隙部として多孔質体の下側に配されたスペーサを利用して形成することで、容易に空隙部を形成でき、汚れた場合の交換も可能となる。あるいは、空隙部として汚垂れ石本体に形成された切欠き部に突出部を設けて形成することで、空隙部形成のための部材が別途不要となり取扱い性が向上する。
【００１４】
一方で、切欠き部と多孔質体との間にフレーム容器を介装することで、明確に汚垂れ石本体と多孔質体との境界を示すことができるので利便性が向上する。また、フレーム容器の上面も基準面と同一平面上であるので、利用者がつまずくことを防止できる。さらに、フレーム容器に鍔部を設け、空隙部を底板が折り曲げられて形成された構造とすることで、フレーム容器を一枚の薄い板から金型にて形成することが可能となる。このため、コスト的に有利であり生産性も高まる。
【図面の簡単な説明】
【００１５】
【図１】本発明に係る汚垂れ石ユニットの概略平面図である。
【図２】汚垂れ石ユニットの一例を示す図１のＡ−Ａ断面図である。
【図３】汚垂れ石ユニットの別の例を示す図１のＡ−Ａ断面図である。
【図４】本発明に係る別の汚垂れ石ユニットの概略平面図である。
【図５】汚垂れ石ユニットの一例を示す図４のＢ−Ｂ断面図である。
【図６】汚垂れ石ユニットの別の例を示す図４のＢ−Ｂ断面図である。
【図７】図６の汚垂れ石ユニットを分解したときの概略図である。
【図８】フレーム容器の概略平面図である。
【発明を実施するための形態】
【００１６】
図１に示すように、本発明に係る汚垂れ石ユニット１は、男性用小便器２の少なくとも手前側の床として形成されている。図１では、小便器２の下側にも形成された例を示している。汚垂れ石ユニット１は基本的な床部分となる汚垂れ石本体３と、小便器２の手前側に配された多孔質体４とを備えている。図２を参照すれば明らかなように、男性用小便器２の手前側の床面は基準面Ｓとして同一平面上に形成されている。したがって、汚垂れ石本体３と多孔質体４の上面は同一平面上にあり、それぞれ基準面Ｓと面一に形成されている。このように、汚垂れ石本体３及び多孔質体４の上面が基準面Ｓと同一であるので、小便器２の利用者が立つ床面に段差が形成されることはない。したがって利用者がつまずくことを防止できる。いわゆるバリアフリーを実現できる。なお、多孔質体４の形状は平面視にて円形、ハート型等、種々採用可能である。
【００１７】
汚垂れ石本体３には切欠き部５が形成されている。この切欠き部５は汚垂れ石本体３の上面側から切欠かれて形成されている。切欠き部５は例えばレーザー加工等を用いて形成可能である。多孔質体４はこの切欠き部５に収容されている。多孔質体４は吸水性のある多孔質物質からなり、例えば沸石である。この沸石は吸水性能だけでなく、尿から発せられるアンモニア臭も素早く吸着する性能を有するため衛生的であり、汚垂れ石ユニット１に利用する多孔質体４としては好ましい。このように、汚垂れ石本体３に吸水体４を配することで、尿や洗浄水を吸水でき、小便器２の手前にこれらの水たまりが発生することを防止できる。多孔質物質は紙などの吸水シートよりも吸水時間が早く、好ましい。
【００１８】
また、尿や洗浄水等を吸水するための多孔質体４と汚垂れ石本体３とを明確に分けて形成しているため、汚垂れ石本体３を大理石等で形成できる。このため、汚垂れ石本体３を清潔感や高級感等の美観を有する材質にて形成することができる。大理石の他には、ガラス系の材質からなるものや、御影石等を利用できる。また、多孔質体４は汚垂れ石本体３を切欠いた切欠き部５に収容されているので、外観として多孔質体４と汚垂れ石本体３との一体性が高めることができる。
【００１９】
多孔質体４の下面と切欠き部５との間には、空間としての空隙部６が形成されている。空隙部６は図２のように、多孔質体４の下側に配されたスペーサ７に形成してもよい。具体的には、このスペーサ７を貫通する貫通孔の内側が空隙部６となる。このような空隙部６を多孔質体４の下側に形成することで、多孔質体４の吸水量が飽和量を超えた場合（一般的に多孔質物質はその体積の４０％程度の吸水率（飽和量）を有する）でもこの空隙部に一時的に水分を溜めておくことができる。なお、多孔質体４の飽和量を超えた尿などの水分が吸水された場合、多孔質体４を水洗して乾燥させることで再利用が可能となる。このため廃棄処分されることなく環境にも適している。このようなスペーサ７は板形状のものに貫通孔を形成するだけで製造できるので、容易に製造可能であり、汚れた場合の交換も容易に可能である。スペーサ７の材質としては特に限定はない。
【００２０】
あるいは、図３に示すように、切欠き部５から突出する複数の突出部８を設け、この周りを空隙部６としてもよい。周りに空隙部６を形成するため、突出部８は多孔質体４の下面全域ではなく一部とのみ接している。図３の例では複数の突出部８を設けた例を示している。この突出部８は汚垂れ石本体３を切欠く際に同時に形成してもよいし、切欠き部５の底面に別体として取り付けてもよい。汚垂れ石本体３で突出部８を形成すれば、空隙部形成のための部材（スペーサ７）が別途不要となり取扱い性が向上する。
【００２１】
別の例の汚垂れ石ユニット１として、図４及び図５に示すように、切欠き部５と多孔質体４との間にフレーム容器９を介装してもよい。図５を参照すれば明らかなように、フレーム容器９は多孔質体４の側面を覆う側板９ａ及び多孔質体４の下面を覆う底板９ｂを有している。この場合においても、上述した利用者のつまずき防止のため側板９ａの上面は基準面Ｓと同一平面に形成されている。このようなフレーム容器９を用いれば、汚垂れ石本体３と多孔質体４との間に側板９ａの上面が露出するので、明確にこれらの境界が視認できるようになる。このため、利用者にとって足の置き場の目安がつけやすくなり、利便性が向上する。なお、空隙部６は底板９ｂを貫通する貫通孔にて形成されている。
【００２２】
フレーム容器９の別の例としては、図６に示すように、側板９ａを折り曲げたものがある。具体的には、側板９ａの上部が折り曲げられて外方に広がっている鍔部１０が形成される。この鍔部１０の上面は側板９ａの上面となり、したがって鍔部１０の上面も基準面Ｓと同一平面上に形成されている。このため、鍔部１０を設けても汚垂れ石ユニット１が形成する床面はフラットであり、利用者のつまずきは確実に防止される。この鍔部１０の上面を基準面Ｓと同一平面とするため、切欠き部５の周囲には鍔部１０を収容するためにさらに汚垂れ石本体３を切欠いて形成された段差部１１が形成されている。
【００２３】
この図６の例の汚垂れ石ユニット１は、平板形状の汚垂れ石本体３を切欠いて切欠き部５及び段差部１１をまず形成する。その後、図７に示すように、この切欠き部５にフレーム容器９を収容する。このとき、鍔部１０は段差部１１に収まるように配される。そして、フレーム容器９内に多孔質体４を収容する。なお、フレーム容器９に多孔質体４を収容した後切欠き部５にこれらを一体として収容してもよい。図７に示すように、多孔質体４を貫通する引っかけ孔１２を設けてもよい。この引っかけ孔１２を利用してトング等（不図示）により多孔質体４を取り外すことができる。これにより、多孔質体４の交換作業、及び空隙部６の洗浄作業が容易となる。
【００２４】
図６の例の汚垂れ石ユニット１の場合、空隙部６は底板９ｂを貫通する貫通孔部分にて底板９ｂが下面方向に折り曲げられて形成されている。これは例えば底板９ｂに対して内側（図６の上側）から外側（図６の下側）方向に打抜き加工する際に形成することが可能である。このようにフレーム容器９に鍔部１０を設け、空隙部６を底板９ｂが折り曲げられて形成された構造とすることで、フレーム容器９を一枚の薄い板から金型にて形成することが可能となる。このため、コスト的に有利であり生産性も高まる。
【００２５】
フレーム容器９の材質としては、汚垂れ石本体３の材質が有する摩擦係数よりも高い摩擦係数を有するものが好ましい。フレーム容器は小便器２の正面手前側に配されるため、利用者が踏む位置にくるため利用者が滑らないようにするためである。汚垂れ石本体３が大理石やガラス等で形成される場合は、フレーム容器９は金属や樹脂で形成される。さらにこの効果を高めるため、図８を参照すれば明らかなように、鍔部１０の上面にヘアライン加工を施してヘアライン１３を形成してもよい（図８では鍔部１０の一部分にのみヘアライン１３を表示）。このヘアライン１３は鍔部１０の上面に沿って形成された複数本の溝であり、これにより滑り止め効果を発揮する。なお、滑り止め効果のための加工としては線状のヘアライン１３に限らず、複数個の凹凸形状を形成するエンボス加工でもよい。このようなヘアライン加工を施すにしても、上述した金型からの一体成形が可能であり、生産性に支障を来すことはない。上述した諸々の効果を考慮すると、本発明に係る汚垂れ石ユニット１は総合的に優れていると言える。
【符号の説明】
【００２６】
１：汚垂れ石ユニット、２：男性用小便器、３：汚垂れ石本体、４：多孔質体、５：切欠き部、６：空隙部、７：スペーサ、８：突出部、９：フレーム容器、９ａ：側板、９ｂ：底板、１０：鍔部、１１：段差部、１２：引っかけ孔、１３：ヘアライン
【図１】
2018175045.tif 000003
【図２】
2018175045.tif 000004
【図３】
2018175045.tif 000005
【図４】
2018175045.tif 000006
【図５】
2018175045.tif 000007
【図６】
2018175045.tif 000008
【図７】
2018175045.tif 000009
【図８】
2018175045.tif 000010